【手続補正書】
【提出日】平成16年1月8日(2004.1.8)
【手続補正１】
【補正対象書類名】明細書
【補正対象項目名】全文
【補正方法】変更
【補正の内容】
【発明の名称】印字装置
【特許請求の範囲】
【請求項１】印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、前記ヘッドホルダを前記保護キャップに近づく方向にキャリッジに挿入した後、その挿入方向と直交する方向に回転することで、前記印字ヘッドが印字媒体上の印字位置に正しく対向する正規位置となるように、前記ヘッドホルダをキャリッジに対し装着する装着手段を備え、前記保護キャップ手段は、前記保護キャップが、前記ヘッドホルダの挿入方向に対向するように向き、かつ少なくとも前記ヘッドホルダの回転方向に移動可能に支持されていることを特徴とする印字装置。
【請求項２】前記保護キャップは、前記印字ヘッドと接触しながら前記ヘッドホルダの回転に追従して前記正規位置の前記印字ヘッドと対向する位置に移動するものであるところの請求項１記載の印字装置。
【請求項３】前記保護キャップ手段は、保護キャップを支持するキャップケーシングと、該キャップケーシングを前記ヘッドホルダの回転方向に移動可能に支持する本体ケーシングと、該本体ケーシングとキャップケーシングとの間に介装され前記ヘッドホルダの挿入時の印字ヘッドに保護キャップが向く位置と前記正規位置の印字ヘッドに保護キャップが向く位置とに択一的にキャップケーシングを付勢する付勢部材とを有するところの請求項１又は２記載の印字装置。
【請求項４】印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、印字ヘッドが印字媒体上の印字位置に正しく対向する正規位置に対し傾斜した方向から前記ヘッドホルダを前記キャリッジに案内する案内部、及びその案内部の一端位置にある前記印字ヘッドを前記傾斜方向から正規位置に回転した状態でロックするロック手段を備え、前記保護キャップ手段は、前記保護キャップが前記傾斜方向に向いた第１の位置から、前記印字ヘッドの回転にともない印字ヘッドに密着したまま前記正規位置の前記印字ヘッドに対応する第２の位置へ移動可能に支持されていることを特徴とする印字装置。
【請求項５】前記保護キャップは、前記正規位置から傾斜位置への印字ヘッドの回転にともない第１の位置へ移動するところの請求項４記載の印字装置。
【請求項６】印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、前記ヘッドホルダを前記保護キャップに近づく方向にキャリッジに挿入した後、その挿入方向と直交する方向に回転することで、前記ヘッドホルダをキャリッジに対し印字媒体に向かう方向及びそれと直交する方向について移動不能に装着する装着手段を備え、前記保護キャップ手段は、前記保護キャップがその一端を前記印字ヘッドに当てた状態で前記印字ヘッドの回転にともない印字ヘッドと密着する方向に傾動可能に支持されており、かつ前記ヘッドホルダの挿入時、前記保護キャップの一端と前記印字ヘッドとが、前記印字ヘッドの回転にともない前記ノズル面と対向することができる位置において、当たるようにしたことを特徴とする印字装置。
【請求項７】前記保護キャップ手段は、前記保護キャップを支持するキャップケーシングと、該キャップケーシングを前記ヘッドホルダの回転方向及びヘッドホルダに接近離隔する方向に移動可能に支持する本体ケーシングと、該本体ケーシングとキャップケーシングとの間に介装され前記ヘッドホルダの回転時印字ヘッドに保護キャップが追従するようにキャップケーシングを付勢する付勢部材とを有するところの請求項６記載の印字装置。
【請求項８】前記キャップケーシングは、ヘッドホルダの回転方向に離間した一対のストッパ部を有し、前記本体ケーシングは、前記キャップケーシングがヘッドホルダ側へ所定量以上移動するのを阻止するため前記一対のストッパ部に係合する係合部を有し、前記一対のストッパ部のうち、ヘッドホルダの前記回転方向下流側のストッパ部とそれに係合する係合部との間の移動許容量を、上流側のストッパ部とそれに係合する係合部との間の移動許容量よりも大きくし、それらの間に前記付勢部材が設けられているところの請求項７記載の印字装置。
【請求項９】印字媒体に向けインクを吐出して印字する印字ヘッドと、該印字ヘッドを支持するヘッドホルダと、該ヘッドホルダが着脱可能に装着され前記印字媒体に沿って移動可能であるキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、印字ヘッドが印字媒体上の印字位置に正しく対向する正規位置に対し傾斜した方向から前記ヘッドホルダを前記キャリッジに案内する案内部、及びその案内部の一端位置の前記印字ヘッドを前記傾斜方向から正規位置に回転した状態でロックするロック手段を備え、前記保護キャップ手段は、前記保護キャップがその一端を前記印字ヘッドに当てた第１の位置から、前記印字ヘッドの回転に追従して前記正規位置において前記印字ヘッドに対向する第２の位置へ傾動可能に支持されていることを特徴とする印字装置。
【請求項１０】前記保護キャップは、前記ヘッドホルダのキャリッジからの取り外しにともない第１の位置へ移動するところの請求項９記載の印字装置。
【請求項１１】前記装着手段は、前記印字ヘッドが印字媒体上の印字位置に対し正しく対向する正規位置に対し傾斜した方向に延びる挿入案内部及び該挿入案内部の奥側に連続する位置決め部を有する凹所と、該凹所に係脱可能に挿入される凸部とを有するところの請求項１〜１０のいずれかに記載の印字装置。
【請求項１２】前記凹所は、前記キャリッジの移動方向の両側において該キャリッジより突出する一対の壁部の対向面側に形成されており、前記凸部は、ヘッドホルダの両側壁部に設けられ前記凹所に移動可能に挿入されるものであるところの請求項１１記載の印字装置。
【請求項１３】さらに、前記印字ヘッドを含むキャリッジを収容し、該キャリッジの移動経路の一側に前記保護キャップ手段に対向する開口部を有する外装ケースを備え、前記開口部を通じてヘッドホルダの着脱を可能とするところの請求項１〜１２のいずれかに記載の印字装置。
【発明の詳細な説明】
【０００１】
【発明の属する技術分野】
本発明は、インクジェット式印字ヘッドが交換可能な印字装置に関する。
【０００２】
【従来の技術】
従来より、印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップにて印字ヘッドのノズル面を覆いインクの乾燥を防止する保護キャップ手段とを備える印字装置は知られている。
【０００３】
かかる印字装置においては、印字ヘッドの寿命、故障等の理由から、印字ヘッドの交換する必要がある場合がある。例えば図１８に示すように、印字ヘッド１０１を支持するヘッドホルダ１０２をキャリッジ１０３に着脱可能に装着する装着手段１０４を前記ヘッドホルダ１０２とキャリッジ１０３との間に設け、図１９（ａ）（ｂ）に示すように、ヘッドホルダ１０２を保護キャップ１０５に近づく方向にキャリッジ１０３に挿入した後、図１９（ｃ）に示すように、その挿入方向と直交する方向（図において下方）に回転することで、前記印字ヘッド１０１が正しく印字媒体上の印字位置に対向する正規位置となるように、前記ヘッドホルダ１０２をキャリッジ１０３に対し装着するようにしているものがある。このような装着手段１０４は、キャリッジ１０３の移動方向の両側において該キャリッジ１０３より突出する一対の壁部１０６の対向面側に形成されている凹所１０６ａと、ヘッドホルダ１０２の両側壁部１０７に設けられ前記凹所１０６ａに移動可能に挿入される凸部１０７ａとを有し、これらの係合関係で、ヘッドホルダ１０２に上述したような動きをさせる構成とされている。
【０００４】
ところで、このような装着手段を備えるものにおいて、キャリッジ１０３を印字媒体の経路と対向する位置へ移動させ、印字ヘッドを交換することも考えられるが、印字ヘッド１０１の交換の際には、印字ヘッド１０１を印字媒体経路に対し傾斜方向から上記正規位置よりも印字媒体経路に近づくようにキャリッジ１０３に挿入した後、正規位置に戻す方向に回転する必要があるのに、通常でも印字ヘッド１０１のノズル面と印字媒体経路との間の間隙が２ｍｍ程度しかないので、この部位では印字ヘッド１０１が衝突してしまい、交換することができない。そのため、そのような交換は、印字ヘッド１０１のノズル面が保護キャップ１０５と対向する位置にて行うようになっている。
【０００５】
【発明が解決しようとする課題】
一般に保護キャップ１０５は、印字ヘッド１０１のノズル面に密着するように前後方向および一定位置で傾くようにわずかの遊びをもって支持されており、前述したように、印字ヘッド１０１の交換を、印字ヘッド１０１のノズル面が保護キャップ１０５と対向する位置にて行うようにすると、ヘッドホルダ１０２をキャリッジ１０３に装着する際に、まず、図２０（ａ）に示すように、印字ヘッド１０１を上記正規位置に対し傾斜した方向からヘッドホルダ１０３を挿入した際、印字ヘッド１０１のノズル面１０１ａよりも上部に保護キャップ１０５が当たり、保護キャップ１０５がその当たった位置を中心に傾いて図２０（ｂ）に示すようにノズル面１０１ａと平行になる。その後、印字ヘッド１０１を上記正規位置に向けるべくヘッドホルダ１０２を挿入方向と直交する方向に回転させると、印字ヘッド１０１のノズル面１０１ａは図において上方に移動するが、保護キャップ１０５は一定位置にあるので、保護キャップ１０５が印字ヘッド１０１のノズル面１０１ａを擦る。ノズル面１０１ａにはインクを吐出する複数のノズルが開口しており、保護キャップ１０５およびノズル面１０１ａに付着しているゴミ等をノズルに押し込むおそれがある。そのため、印字ヘッド１０１の交換のたびに、ノズルからインクとともにゴミを吸引排出する強力なパージが必要となり、場合によってはそのようなパージだけではゴミを取り除くことができない場合が生ずる。
【０００６】
本発明は、かかる点に鑑みてなされたもので、保護キャップにて印字ヘッドのノズル面を擦ることなく、印字ヘッドを交換することができる印字装置を提供することを目的とする。
【０００７】
【課題を解決するための手段】
請求項１の発明は、印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、前記ヘッドホルダを前記保護キャップに近づく方向にキャリッジに挿入した後、その挿入方向と直交する方向に回転することで、前記印字ヘッドが印字媒体上の印字位置に正しく対向する正規位置となるように、前記ヘッドホルダをキャリッジに対し装着する装着手段を備え、前記保護キャップ手段は、前記保護キャップが、前記ヘッドホルダの挿入方向に対向するように向き、かつ少なくとも前記ヘッドホルダの回転方向に移動可能に支持されている。
【０００８】
請求項１の発明によれば、印字ヘッドのノズル面が保護キャップと対向する位置にて印字ヘッドの交換をする際に、保護キャップが、前記ヘッドホルダの挿入方向に対向するように向き、かつ少なくとも前記ヘッドホルダの回転方向に移動可能に支持されていることから、ヘッドホルダを前記保護キャップに近づく方向にキャリッジに挿入すると、印字ヘッドのノズル面が保護キャップと対向する。
そして、その後、印字ヘッドを印字媒体上の印字位置に正しく対向する正規位置に向くべくその挿入方向と直交する方向に回転すると、印字ヘッドのノズル面が保護キャップと対向する状態を維持するように保護キャップが移動し、印字ヘッドのノズル面を擦るということがない。
【０００９】
請求項２の発明は、請求項１の印字装置において、前記保護キャップが、前記印字ヘッドと接触しながら前記ヘッドホルダの回転に追従して前記正規位置の前記印字ヘッドと対向する位置に移動するものである。
【００１０】
請求項２の発明によれば、ヘッドホルダを前記保護キャップに近づく方向にキャリッジに挿入した後、その挿入方向と直交する方向に回転する際に、保護キャップが、前記印字ヘッドと接触しながら前記ヘッドホルダの回転に追従して前記正規位置の印字ヘッドと対向する位置に移動せしめられることから、保護キャップが印字ヘッドのノズル面を擦るということが起こらない。
【００１１】
請求項３の発明は、請求項１の印字装置において、前記保護キャップ手段が、保護キャップを支持するキャップケーシングと、該キャップケーシングを前記ヘッドホルダの回転方向に移動可能に支持する本体ケーシングと、該本体ケーシングとキャップケーシングとの間に介装され前記ヘッドホルダの挿入時の印字ヘッドに保護キャップが向く位置と前記正規位置の印字ヘッドに保護キャップが向く位置とに択一的にキャップケーシングを付勢する付勢部材とを有する。
【００１２】
請求項３の発明によれば、保護キャップを支持するキャップケーシングが本体ケーシングにヘッドホルダの回転方向に移動可能に支持され、キャップケーシングに対する付勢部材による付勢により、保護キャップは、択一的に向きが変更されることから、ヘッドホルダの挿入時には、挿入時の印字ヘッドに向く位置とされ、ヘッドホルダの装着が完了した時には、前記正規位置の印字ヘッドに向く位置とされる。
【００１３】
請求項４の発明は、印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、印字ヘッドが印字媒体上の印字位置に正しく対向する正規位置に対し傾斜した方向から前記ヘッドホルダを前記キャリッジに案内する案内部、及びその案内部の一端位置にある前記印字ヘッドを前記傾斜方向から正規位置に回転した状態でロックするロック手段を備え、前記保護キャップ手段は、前記保護キャップが前記傾斜方向に向いた第１の位置から、前記印字ヘッドの回転にともない印字ヘッドに密着したまま前記正規位置の前記印字ヘッドに対応する第２の位置へ移動可能に支持されている。
【００１４】
請求項４の発明によれば、印字ヘッドのノズル面が保護キャップと対向する位置にて印字ヘッドの交換をする際に、案内部により前記傾斜方向からヘッドホルダがキャリッジに案内されると、正規位置に対し傾斜した方向に向いた第１の位置にある保護キャップと、印字ヘッドのノズル面が対向する。そして、保護キャップが、第１の位置から、前記印字ヘッドの回転にともない印字ヘッドに密着したまま前記正規位置の前記印字ヘッドに対応する第２の位置へ移動可能に支持されていることから、案内部の一端位置にある前記印字ヘッドが前記傾斜方向から正規位置に回転しても、保護キャップが印字ヘッドを擦ることなく密着した状態で、印字ヘッドがロック手段にてロックされる。
【００１５】
請求項５の発明は、請求項４の印字装置において、前記保護キャップが、前記正規位置から傾斜位置への印字ヘッドの回転にともない第１の位置へ移動するものである。
【００１６】
請求項５の発明によれば、ヘッドホルダをキャリッジから外す際、前記正規位置から傾斜位置へ印字ヘッドが回転するのにともない、保護キャップが、前記傾斜方向に向いた第１の位置へ移動せしめられ、次にヘッドホルダを装着する際、保護キャップが印字ヘッドと自ずと対向する。
【００１７】
請求項６の発明は、印字媒体に向けインクを吐出して印字する印字ヘッドと、該印字ヘッドを支持するヘッドホルダと、該ヘッドホルダが着脱可能に装着され前記印字媒体に沿って移動可能なキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、前記ヘッドホルダを前記保護キャップに近づく方向にキャリッジに挿入した後、その挿入方向と直交する方向に回転することで、前記ヘッドホルダをキャリッジに対し印字媒体に向かう方向及びそれと直交する方向について移動不能に装着する装着手段を備え、前記保護キャップ手段は、前記保護キャップがその一端を前記印字ヘッドに当てた状態で前記印字ヘッドの回転にともない印字ヘッドと対向する方向に傾動可能に支持されており、かつ前記ヘッドホルダの挿入時、前記保護キャップの一端と前記印字ヘッドとが、前記印字ヘッドの回転にともない前記ノズル面と対向することができる位置において、当たるようにしている。
【００１８】
請求項６の発明によれば、印字ヘッドのノズル面が保護キャップと対向する位置にて印字ヘッドの交換をする際に、保護キャップが、その一端を前記印字ヘッドに当てた状態で印字ヘッドの前記回転にともない印字ヘッドと対向する方向に傾動可能に支持されており、かつ前記ヘッドホルダの挿入時、前記保護キャップの一端と前記印字ヘッドとが、前記印字ヘッドの回転にともない前記ノズル面と対向することができる位置において、当たるようにしていることから、ヘッドホルダが保護キャップに近づく方向にキャリッジに挿入されると、まず、印字ヘッドに保護キャップの一端が当たる。そして、その後、ヘッドホルダをキャリッジに対し印字媒体に向かう方向及びそれと直交する方向について移動不能にするべくその挿入方向と直交する方向に回転されると、その回転にともない、保護キャップが、前記一端を回転中心として回転され、保護キャップが、印字ヘッドのノズル面を擦ることなく、印字ヘッドに対向する。
【００１９】
請求項７の発明は、請求項６の印字装置において、前記保護キャップ手段が、前記保護キャップを支持するキャップケーシングと、該キャップケーシングを前記ヘッドホルダの回転方向及びヘッドホルダに接近離隔する方向に移動可能に支持する本体ケーシングと、該本体ケーシングとキャップケーシングとの間に介装され前記ヘッドホルダの回転時印字ヘッドに保護キャップが追従するようにキャップケーシングを付勢する付勢部材とを有する。
【００２０】
請求項７の発明によれば、保護キャップを支持するキャップケーシングが、本体ケーシングにて、該キャップケーシングをヘッドホルダの回転方向及びヘッドホルダに接近離隔する方向に移動可能に支持されていることから、キャップケーシングを付勢する付勢部材にて、ヘッドホルダの回転時に、印字ヘッドの動きに保護キャップが追従するように付勢される。
【００２１】
請求項８の発明は、請求項７の印字装置において、前記キャップケーシングが、ヘッドホルダの回転方向に離間した一対のストッパ部を有し、前記本体ケーシングは、前記キャップケーシングがヘッドホルダ側へ所定量以上移動するのを阻止するため前記一対のストッパ部に係合する係合部を有し、前記一対のストッパ部のうち、ヘッドホルダの前記回転方向下流側のストッパ部とそれに係合する係合部との間の移動許容量を、上流側のストッパ部とそれに係合する係合部との間の移動許容量よりも大きくし、それらの間に前記付勢部材が設けられている。
【００２２】
請求項８の発明によれば、キャップケーシングの一対のストッパ部に本体ケーシングの係合部が係合されていることから、キャップケーシングがヘッドホルダ側へ所定量以上移動するのが阻止され、また、ヘッドホルダの前記回転方向下流側のストッパ部とそれに係合する係合部との間の移動許容量が、上流側のストッパ部とそれに係合する係合部との間の移動許容量よりも大きくされていることから、付勢部材の付勢力にて、ヘッドホルダの挿入時の印字ヘッドに対して保護キャップがその一端が当たるように傾斜せしめられ、かつヘッドホルダの回転に、保護キャップが良好に追従せしめられる。
【００２３】
請求項９の発明は、印字媒体に向けインクを吐出して印字する印字ヘッドと、該印字ヘッドを支持するヘッドホルダと、該ヘッドホルダが着脱可能に装着され前記印字媒体に沿って移動可能であるキャリッジと、保護キャップを有し該保護キャップにて印字ヘッドのノズル面を覆う保護キャップ手段とを備え、印字ヘッドのノズル面が保護キャップと対向する位置にて印字ヘッドの交換をする印字装置において、前記ヘッドホルダとキャリッジとの間に設けられ、印字ヘッドが印字媒体上の印字位置に正しく対向する正規位置に対し傾斜した方向から前記ヘッドホルダを前記キャリッジに案内する案内部、及びその案内部の一端位置の前記印字ヘッドを前記傾斜方向から正規位置に回転した状態でロックするロック手段を備え、前記保護キャップ手段は、前記保護キャップが印字ヘッドの回転にともない前記ノズル面と対向することができるようにその一端を前記印字ヘッドに当てた第１の位置から、前記印字ヘッドの回転に追従して前記正規位置において前記印字ヘッドに対向する第２の位置へ傾動可能に支持されている。
【００２４】
請求項９の発明によれば、印字ヘッドのノズル面が保護キャップと対向する位置にて印字ヘッドの交換をする際に、案内部により前記傾斜方向からヘッドホルダがキャリッジに案内されると、保護キャップは、印字ヘッドに当たり、その一端を前記印字ヘッドに当てた第１の位置となる。また、保護キャップが第１の位置から、前記印字ヘッドの回転に追従して前記正規位置において前記印字ヘッドに対向する第２の位置へ傾動可能に支持されていることから、印字ヘッドが傾斜方向から正規位置に回転されると、保護キャップは、印字ヘッドのノズル面を擦ることなく、前記一端を回転中心として、印字ヘッドの回転に追従して第２の位置に傾動され、正規位置において保護キャップが印字ヘッドのノズル面に対向することになる。
【００２５】
請求項１０の発明は、請求項９の印字装置において、前記保護キャップが、前記ヘッドホルダのキャリッジからの取り外しにともない第１の位置へ移動する。
【００２６】
請求項１０の発明によれば、ヘッドホルダをキャリッジから取り外すのにともない、保護キャップが、前記第１の位置へ移動せしめられ、次にヘッドホルダを装着する際、保護キャップが印字ヘッドと一端において当たる。
【００２７】
【００２８】
【００２９】
【００３０】
【００３１】
【００３２】
【００３３】
【００３４】
【００３５】
【００３６】
【００３７】
【００３８】
【００３９】
【００４０】
【００４１】
【００４２】
【００４３】
請求項１１の発明は、請求項１〜１０のいずれかの印字装置において、前記装着手段が、印字ヘッドの正規位置に対し傾斜した方向に延びる挿入案内部及び該挿入案内部の奥側に連続する位置決め部を有する凹所と、該凹所に係脱可能に挿入される凸部とを有する。
【００４４】
請求項１１の発明によれば、凸部が、凹所の挿入案内部に挿入されることで、ヘッドホルダが前記保護キャップに近づく方向に案内されつつキャリッジに挿入されることとなり、そして凸部が凹所の位置決め部に位置したところで、挿入方向と直交する方向に回転されると、印字ヘッドは、印字媒体上の印字位置に正しく対向する正規位置とされる。
【００４５】
請求項１２の発明は、請求項１１の印字装置において、前記凹所が、前記キャリッジの移動方向の両側において該キャリッジより突出する一対の壁部の対向面側に形成されており、前記凸部が、ヘッドホルダの両側壁部に設けられ前記凹所に移動可能に挿入されるものである。
【００４６】
請求項１２の発明によれば、キャリッジの移動方向の両側において該キャリッジより突出する一対の壁部の対向面側に形成される凹所に、ヘッドホルダの両側壁部に設けられる凸部が移動可能に挿入され、それらによってキャリッジに対するヘッドホルダの動きが案内される。
【００４７】
請求項１３の発明は、請求項１〜１２のいずれかの印字装置において、さらに、前記印字ヘッドを含むキャリッジを収容し、該キャリッジの移動経路の一側に前記保護キャップ手段に対向する開口部を有する外装ケースを備え、前記開口部を通じてヘッドホルダの着脱を可能とするものである。
【００４８】
請求項１３の発明によれば、印字ヘッドを含むキャリッジを収容する外装ケースの開口部を通じて、キャリッジの移動経路の一側においてヘッドホルダの着脱が行われる。
【００４９】
【発明の実施の形態】
以下、本発明の実施の形態を図面に沿って説明する。
【００５０】
図１はキャリッジに搭載された印字ヘッド等を側面から見たもので、図の左側に印字媒体である印字用紙が垂直状態に位置する。同図において、左側を前側、右側を後側とする。
【００５１】
キャリッジ１は、印字用紙と平行に延びるガイドロッド２及びガイドバー３に沿って摺動可能に支持され、モータによって駆動されるベルト等の周知の駆動手段によって、印字用紙に沿って移動可能とされている。その移動に伴い、印字ヘッド部材４の各印字ヘッド４ａ，４ｂ，４ｃ，４ｄ（図３参照）は、その前端のノズル面に開口するノズルから印字用紙に向けてインクを吐出し、印字が行われることになる。尚、かかる印字装置においては、印字ヘッド４ａ〜４ｄの寿命、故障等の理由から、印字ヘッド４ａ〜４ｄ（印字ヘッド部材４）を交換する必要がある場合が生ずるので、キャリッジ１が印字用紙に対向する領域を越えて移動し、印字ヘッド４ａ〜４ｄのノズル面が、後述の保護キャップ２２ａ〜２２ｄと対向する位置にて、印字ヘッド４ａ〜４ｄの交換が可能なるようになっている。
【００５２】
キャリッジ１は、印字用紙にほぼ直交する方向に延びる基板部５を備え、キヤリッジ１の移動方向の両側においてその基板部５の印字用紙寄りに一対の側壁６，６が突出せしめられている。そして、その側壁６，６の間は、前後方向（即ち印字用紙方向）及びそれと反対方向に開放し、印字ヘッド４ａ〜４ｄ（印字ヘッド部材４）を支持するヘッドホルダ７及び後述するインクカートリッジ８，９，１０，１１が着脱可能に装着される空間を形成している。即ち、一対の側壁６，６は、ヘッドホルダ７の着脱方向と直交する方向において、前記空間を存して平行に配置されている。
【００５３】
前記一対の側壁６に連続して基板部５の前後方向中間部の両側に、図２にも示すように、一対の平面視ほぼ内向き「コ」字状の中間側壁１２が設けられ、また、基板部５の印字用紙から離れた後端に印字用紙と平行な後部立上壁１３が立設されている。中間側壁１２及び後部立上壁１３は、側壁６よりも十分に低く形成されている。
【００５４】
ヘッドホルダ７は、印字用紙と反対側を開放した箱状に形成され、印字用紙側の前壁７ａに印字ヘッド部材４（印字ヘッド４ａ〜４ｄ）を、そのノズル面が印字用紙ヘ向くように支持している。尚、本実施の形態において印字装置はカラー印字装置で、印字ヘッド部材４は、図３に示すように、印字する各色に対応した個数の印字ヘッド４ａ〜４ｄ（本実施の形態では４個）がキャリッジ１の移動方向に並べて設けられ、各印字ヘッドに供給するインクを収容したインクカートリッジ８，９，１０，１１も各色に対応して複数個設けられている。
【００５５】
前壁７ａにおいて印字ヘッド４ａ〜４ｄのインク吐出ノズル開口面とは反対側の面には、各印字ヘッド４ａ〜４ｄにインクを供給する嵌合連結部（印字ヘッド４ａについての嵌合連結部１６ａのみ図示）が突出して設けられ、その各嵌合連結部に各色のインクカートリッジ８，９，１０，１１の前面に形成したインク供給孔（インクカートリッジ８のインク供給孔８ａのみ図示）がそれぞれ嵌合連結される（図４参照）。
【００５６】
ヘッドホルダ７の左右両側壁部には、図３に示すように、印字用紙寄り端部でかつキャリッジ１の基板部５寄り下部に、一対の円柱ピン状の凸部７ｂが突出して設けられ、またキャリッジ１の中間側壁１２と対応する位置で基板部５寄り下部に、一対の四角ピン状の係止突起７ｃが突出して設けられている。
【００５７】
一対の側壁６，６の対向面側に、後端から印字用紙側へ向けて延びる一対の溝状の凹所６ａが形成され、各凹所６ａの印字用紙側の前端は、閉鎖され、後端は後方及び斜め上方に開放されている。該凹所６ａは、印字ヘッド４ａ〜４ｄが印字用紙上の印字位置に正しく対向する正規位置に対し傾斜した方向からヘッドホルダ７をキャリッジ１に案内する案内部として機能する挿入案内部６ｂ、及び該挿入案内部６ｂの奥側に連続する位置決め部６ｃを有し、凸部７ｂが移動可能に挿入されるものである。上記凹所６ａ及び凸部７ｂにより、ヘッドホルダ７をキャリッジ１に対し装着する装着手段が構成されている。
【００５８】
一対の「コ」字状の中間側壁１２の内側には、その「コ」字状部の後端辺の下部から上方へ立ち上がった係止部１４が形成されている。係止部１４は前後方向に撓む弾性を有しており、その上端は、中間側壁１２よりも上方へ突出し、側壁６側に下降傾斜する爪１４ａを有している。そして、この係止部１４と、ヘッドホルダ７の係止突起７ｃとによって、凹所６ａの一端位置（位置決め部６ｃ）にある前記印字ヘッド部材４を正規位置でロックするロック手段が構成されている。
【００５９】
キャリッジ１の後部立上壁１３には、各インクカートリッジ８，９，１０，１１の後端に対応する各位置に、板ばね状の弾性体である板ばね部材１５が設けられている。板ばね部材１５はヘッドホルダ７側に下降傾斜する傾斜面を有して「く」字状に同側へ突出している。各インクカートリッジ８，９，１０，１１は後端下部に、半円状の突起（インクカートリッジ８についての突起８ｂのみ図示）を有している。
【００６０】
上記構成によって図４に示すように、ヘッドホルダ７は、キャリッジ１の一対の側壁６，６間に後方から着脱可能に装着されるようになっている。さらに詳細に説明すると、ヘッドホルダ７の凸部７ｂを側壁６の溝状の凹所６ａに斜め上後方から嵌合させ、ヘッドホルダ７を後述の保護キャップ２２ａ〜２２ｄに近づく方向にキャリッジ１に挿入した後、凸部７ｂが凹所６ａの挿入案内部６ｂから位置決め部６ｃに移動したときに、ヘッドホルダ７を凸部７ｂを中心に、ヘッドホルダ７の挿入方向と直交する方向に、即ち印字用紙と平行な軸心に回りに下方へ回転させると、ヘッドホルダ７の係止突起７ｃは、その回転軌跡内に突出している爪１４ａに当接し、係止部１４の弾性に抗して爪１４ａを乗り越え、爪１４ａにロックされる。
【００６１】
これにより、ヘッドホルダ７は、印字用紙に向かう方向へは凸部７ｂと凹所６ａの位置決め部６ｃの前端との当接により位置決めされ、またそれと直角な左右方向へは、ヘッドホルダ７の側面と側壁６の当接により位置決めされる。ヘッドホルダ７の印字用紙側の端部の上下方向は、凸部７ｂと凹所の位置決め部６ｃの嵌合によって位置決めされる。それによって、印字ヘッド４ａ〜４ｄのノズル面は印字用紙上の印字位置に正しく対向する正規位置となる。また、ヘッドホルダ７の印字用紙側とは反対側の端部（後端部）は、ヘッドホルダ７の底面を基板部５に当接し、かつ爪１４ａと係止突起７ｃの係止によって上下方向に位置決めされる。ヘッドホルダ７が印字用紙から離れる方向に対しては、係止部１４に係止突起７ｃが係止して位置決めされ、印字ヘッド４ａ〜４ｄが上記正規位置にロックされる。尚、左右方向（キャリッジの移動方向）には、凸部７ｂの先端と凹所６ａの当接によって位置決めしてもよい。係止部１４は係止突起７ｃを常に押圧するようにしてもよいが、わずか隙間があっても、インクカートリッジを押圧する板ばね部材１５によって、ヘッドホルダ７の後端部を位置決めすることができる。
【００６２】
ヘッドホルダ７及び溝状の凹所６ａは、印字ヘッド４ａ〜４ｄに対して後方、即ち後述する外装ケース４１の開口４３に向けて開口した形状をなしており、その外装ケース４１の開口４３を通じてインクカートリッジ８，９，１０，１１及び印字ヘッド４ａ〜４ｄをキャリッジ１に対して着脱可能に装着することができる。
【００６３】
また、ヘッドホルダ７を取り外すのは、係止部１４の上端を後方へ押して爪１４ａを係止突起７ｃから外し、ヘッドホルダ７の後端部を上方へ回動した後、凸部７ｂを凹所６ａから後方ヘ引き抜くことによりできる。
【００６４】
各インクカートリッジ８，９，１０，１１は、ヘッドホルダ７内に後方から挿入し、各前面のインク供給孔を嵌合連結部に嵌合して、インクカートリッジ８〜１１の後端を板ばね部材１５の傾斜面１５ａに沿ってさらに嵌合連結部側へ案内しながら、板ばね部材１５の弾性に抗して下方へ押し込むことにより、各インクカートリッジ８〜１１は、板ばね部材１５の弾牲により嵌合連結部に連結する方向に押圧され、各印字ヘッド４ａ〜４ｄとの連結状態が保持される。
【００６５】
インクカートリッジを取り外す場合には、インクカートリッジの後端を持ち上げるようにして板ばね部材１５から外し、ヘッドホルダ７からインクカートリッジを引き抜く。このとき、ヘッドホルダ７はキャリッジ１に装着されており、インクカートリッジのみ取り外すことができる。
【００６６】
上記構成においては、装着手段において、凸部７ｂをヘッドホルダ７に、凹所６ａを側壁６に設けるようにしているが、それとは逆に、凹部をヘッドホルダ７に、凸部を側壁に設けるようにすることもできる。
【００６７】
図５，６，８，９は、請求項１〜５の保護キャップ手段にかかわる構成を具体化したものである。
【００６８】
図５は保護キャップ装置の概略構成を示すもので、かかる装置は、印字用紙の搬送経路の外であって、キャリッジ１の一方の移動端と対応する位置に配置される。保護キャップ装置２１は、印字ヘッド４ａ〜４ｄのノズル面を密着して覆いノズルのインクが乾燥するのを防止する複数の保護キャップ２２ａ〜２２ｄと、該複数の保護キャップ２２ａ〜２２ｄを支持するキャップケーシング２３と、該キャップケーシング２３を連結リンク２５を介してヘッドホルダ７の回転方向に移動可能に支持する本体ケーシング２４（図６参照）と、保護キャップ２２ａ〜２２ｄを前記ヘッドホルダ７の挿入時の印字ヘッド４ａ〜４ｄに向く位置と前記正規位置の印字ヘッド４ａ〜４ｄに向く位置とに択一的に付勢する付勢部材であるスプリング２７とを有している。
【００６９】
連結リンク２５は、前記キャップケーシング２３の突出部２３ａに一端が回転可能に連結され他端が軸２６により本体ケーシング２４に回転可能に連結され、保護キャップ２２ａ〜２２ｄをヘッドホルダ７の回転方向に移動可能に支持している。スプリング２７は、軸２６近傍の本体ケーシング２４とキャップケーシング２３上の突出ピン２８との間に圧縮状態に介装され、保護キャップ２２ａ〜２２ｄを印字ヘッド４ａ〜４ｂに向け付勢している。保護キャップ２２ａ〜２２ｄの移動範囲は、突出ピン２８と、本体ケーシング２４に形成されたストッパ部２９との係合関係で、上記２位置の間に規制されるようになっている。
【００７０】
スプリング２７の付勢力は、保護キャップ２２ａ〜２２ｄが印字ヘッド４ａ〜４ｄに密着した状態で、印字ヘッド４ａ〜４ｄが凸部７ｂの回りに回転するとき、保護キャップ２２ａ〜２２ｄもそれに追従して移動するように設定されている。また、保護キャップ２２ａ〜２２ｄのその移動が連結リンク２５によって案内されている。
【００７１】
図６に示すように、本体ケーシング２４は、キャップケーシング２３から離れた下端において、案内軸３０に沿って摺動及び案内軸３０を中心に回動可能とされ、キャリッジ１の移動経路に突出する突出アーム２４ａを有する。そして、図８（ａ）に示すように、キャリッジ１が印字用紙に対する印字領域を越えて移動してきたとき、図８（ｂ）に示すように、キャリッジ１の端部が突出アーム２４ａに当接するので、図８（ｃ）に示すように、本体ケーシング２４の突部２４ｂがキャリッジ１と共に移動しながら傾斜カム３１に沿って、保護キャップ２２ａ〜２２ｄが印字ヘッド４ａ〜４ｄ側に接近するように、本体ケーシング２４が案内軸３０の回りに回転し、それによって保護キャップ２２ａ〜２２ｄが印字ヘッド４ａ〜４ｄのノズル面を覆うようになっている。また、キャリッジ１が印字領域へ復帰すると、本体ケーシング２４はバネ（図示せず）の作用により、前述した場合とは逆の動きをして、印字ヘッド４ａ〜４ｄから離れるとともに印字領域側へ少し移動した図８（ａ）の初期位置へ復帰する。
【００７２】
前記保護キャップ装置２１に隣接して、パージ装置３２が設けられている。パージ装置３２は、図示しない駆動手段で吸引キャップ３３を進退させ、印字ヘッド４ａ〜４ｄの各色のインク吐出ノズルごとにその吸引キャップ３３を密着して、図示しない吸引ポンプにより発生した負庄でノズル内のインクを吸引するものである。
【００７３】
図７は本装置の概略の電気的構成を示すもので、制御装置７１は周知のＣＰＵ、ＲＯＭ、ＲＡＭ及びハードウエアロジックで構成された制御回路から構成され、インターフェイス部７２を通して受信したデータに基づいて、印字ヘッド４ａ〜４ｄ、印字用紙の搬送の駆動源としての紙送りモータ７３、キャリッジ１の往復移動の駆動源としてのキャリッジモータ７４をそれぞれ制御して印字動作を実行する。また、制御装置７１は、各種スイッチ７５、後述する開開カバーの検出器７６、キャリッジ１上に設けたインクカートリッジ８，９，１０，１１の着脱検出器７７及びインク残量検出器７８からの信号を受けて、上記印字動作の制御を含んで、パージ装置３１、表示器７９を制御する。
【００７４】
そして、制御装置７１は、印字休止時には図８（ｃ）に示すように、印字ヘッド４ａ〜４ｄのノズル面を保護キャップ２２ａ〜２２ｄで覆うキャッピング位置にキャリッジ１を停止させる。
【００７５】
図９（ｃ）に示すように、古い印字ヘッド４ａ〜４ｄが保護キャップ２２（図９では２２ａ〜２２ｄを略して２２と表示する）に対向した状態から、図９（ｂ）に示すように、ヘッドホルダ７を前述したとおり取り外すために凸部７ｂを中心に回転させると、印字ヘッド４ａ〜４ｄに追従して、保護キャップ２２は上向きになるように移動し、図９（ａ）に示すように、ヘッドホルダ７を取り外した後も、スプリング２７の作用でその状態に保持される。
【００７６】
そして、図９（ａ）に示すように、新しい印字ヘッド４ａ〜４ｄを支持するヘッドホルダ７をキャリッジ１に対し、前述のとおり凸部７ｂを凹所６ａに沿って挿入すると、保護キャップ２２は、既に上記のとおり印字ヘッド４ａ〜４ｄに向いた状態にあるから、図９（ｂ）に示すように、保護キャップ２２は、印字ヘッド４ａ〜４ｄに対し密着状態と同位置で接触することになる。それから、ヘッドホルダ７を前述のとおりロックするために、下方に回転すると、保護キャップ２２は、前記接触状態を維持しつつ、ヘッドホルダ７の回転に追従して移動し、図９（ｃ）に示すように、正規位置の印字ヘッド４ａ〜４ｄを覆う位置になる。つまり、従来のように、印字ヘッド４ａ〜４ｄのノズル面と保護キャップ２２が相対的に擦ることがなくなる。
【００７７】
上記の構成は、例えば図１０及び図１１に示す印字装置に、具体化される。印字装置の外装ケース４１は、上記印字ヘッド４ａ〜４ｄを含むキャリッジ１及び上記各装置を、印字ヘッドのノズル面が斜め下向きになるように傾斜状態に収容する。上記説明では便宜上印字ヘッドを水平向きにして説明した。該外装ケース４１は、前面に印字済み用紙を排出するための排出ロ４２を形成する開口を有し、上面に印字ヘッド４ａ〜４ｄ、インクカートリッジと対応する位置でキャリッジ１の移動方向に横長に延びる開口４３を有する。開口４３は、印字ヘッド４ａ〜４ｄが印字用紙と対応する印字領域の範囲にわたっているが、印字ヘッド４ａ〜４ｄが保護キャップ装置２１と対応する位置までは達していない。その後者位置には、ヘッドホルダ７の着脱を可能とする補助開口４４が、開ロ４３と連続して形成され、その補助開口４４に蓋部材４５が着脱可能に装着されている。
【００７８】
蓋部材４５は、図１１に示すように、前後即ち補助開ロ４４を橋渡す方向の両端縁にそれぞれ突起４６，４７を有し、まずその一方の突起４６を補助開口４４の内縁に設けた凹所４８に引っ掛け、次に蓋部材４５及び外装ケース４１の弾性を利用して他方の突起４７を補助開口４４の他方の内縁の凹所４９に引っ掛けて装着される。蓋部材４５は下方への落ち込みに対して、補助開口４４の両内縁に設けた突部５０によって受けられる。これにより、通常の使用状態において、印字ヘッド４ａ〜４ｄが保護キャップ装置２１と対向する位置になるとき（例えば印字休止時）には、蓋部材４５によって印字ヘッド４ａ〜４ｄ、インクカートリッジ及びキャリッジ１が覆われ、それらに不用意に手が触れることがないようにしている。
【００７９】
印字ヘッド４ａ〜４ｄの交換は、従来の技術で説明したとおり、印字の休止状態即ち印字ヘッド４ａ〜４ｄが保護キャップ２２ａ〜２２ｄと対向した位置で行う必要がある。そのときに、この蓋部材４５が取り外され、補助開口４４をとおして印字ヘッド４ａ〜４ｄがキャリッジに対し着脱される。
【００８０】
外装ケース４１の上面には図１０に示すように、開開カバー６１がヒンジ６２のまわりに回転可能に装着されている。開開カバー６１は、開ロ４３だけでなく、蓋部材４５を含む補助開口４４の周囲も開開可能に覆っている。
【００８１】
図１２，１３は、本発明の他の実施の形態即ち請求項６〜１０の保護キャップ手段にかかわる構成を具体化したものである。この実施の形態において、印字ヘッド４ａ〜４ｄ、キャリッジ１は、前述の実施形態と同一のものであり、同一の符号を付して説明を省略する。
【００８２】
図１２はこの実施形態の保護キャップ装置２１の概略構成を示すもので、印字用紙の搬送経路の外において、保護キャップ２２ａ〜２２ｄで印字ヘッド４ａ〜４ｄのノズル面を密着して覆う機能は、前述の実施の形態と同様である。保護キャップ装置２１は、該保護キャップ２２ａ〜２２ｄを支持するキャップケーシング２３と、該キャップケーシング２３をヘッドホルダ７の回転方向及びヘッドホルダ７に接近離隔する方向に移動可能に支持する本体ケーシング２４と、前記本体ケーシング２４の止め部２４ｃとキャップケーシング２３の後部との間に介装され前記保護キャップ２２ａ〜２２ｄを印字ヘッド４ａ〜４ｄ側に向け付勢する付勢部材であるスプリング２６とを有する。
【００８３】
より詳細には、前記キャップケーシング２３は、本体ケーシング２４の貫通口部（図示せず）に、ヘッドホルダ７の回転方向及びヘッドホルダ７に接近離隔する方向に移動可能に挿入され、つまりキャップケーシング２３の外形寸法よりも十分大きな貫通口部に挿入されている。該キャップケーシング２３は、ヘッドホルダ７の回転方向に離間した一対の脚部２３ｃを有し、その脚部２３ｃが本体ケーシング２４を貫通した後端部にそれぞれストッパ部２３ｄ，２３ｂを有する。前記本体ケーシング２４は、前記キャップケーシング２３がヘッドホルダ７側へ所定量以上移動するのを阻止するため前記一対のストッパ部２３ｄ，２３ｂに係合する係合部である係合面２４ｄを有し、前記一対のストッパ部２３ｄ，２３ｂのうち、ヘッドホルダ７の前記回転方向下流側のストッパ部２３ｄとそれに係合する係合部２４ｄとの間の移動許容量Ｌ１を、上流側のストッパ部２３ｂとそれに係合する係合部２４ｂとの間の移動許容量Ｌ２よりも大きくし、それらの間に前記スプリング２６が設けられている。スプリング２６の付勢力は、後述するように、保護キャップ２２ａ〜２２ｄの一端が印字ヘッド４ａ〜４ｄに当たった状態で、印字ヘッド４ａ〜４ｄが凸部７ｂの回りに回転するとき、保護キャップ２２ａ〜２２ｄもそれに追従して移動するように設定されている。
【００８４】
よって、保護キャップ２２ａ〜２２ｄは、スプリング２６の付勢によって、図１３に二点鎖線で示すように、保護キャップの上端（ヘッドホルダ７の前記回転方向下流側の端部）が下端（ヘッドホルダ７の前記回転方向上流側の端部）よりも印字ヘッド側に突出、つまり傾斜状態になる。この状態で、印字ヘッド４ａ〜４ｄが、同図に二点鎖線で示すように、正規位置に対し傾斜した方向から挿入されると、保護キャップの上端が印字ヘッド４ａ〜４ｄのノズル面の上端に当たる。この両者が当たる位置は、後述するように、印字ヘッドに追従して保護キャップが回転したとき保護キャップがノズル面を覆うことができる位置である。
【００８５】
それから、ヘッドホルダ７をキャリッジにロックすべく下方に回転すると、印字ヘッド４ａ〜４ｄが凸部７ｂの回りに回転するが、その際、保護キャップ２２ａ〜２２ｄが、印字ヘッド４ａ〜４ｄに追従して上記当たった点を中心に回転（即ち傾動）しながら上方へ移動し、図１３に実線で示すように、正規位置の印字ヘッドのノズル面を覆って密着する。このように、保護キャップ２２ａ〜２２ｄがその一端が印字ヘッドに当てた第１の位置から、前記印字ヘッド４ａ〜４ｄの正規位置において密着する第２の位置への移動の際に、保護キャップ２２ａ〜２２ｄが印字ヘッド４ａ〜４ｄのノズル面を擦ることがない。
【００８６】
印字ヘッド４ａ〜４ｄの交換は、前述の実施の形態と同様に印字ヘッド４ａ〜４ｄが保護キャップ２２ａ〜２２ｄと対向する位置にキャリッジが移動している状態で行われる。古い印字ヘッド４ａ〜４ｄが保護キャップ２２ａ〜２２ｄに密着した状態から、ヘッドホルダ７を前述したとおり取り外すと、図１３に二点鎖線で示すように、保護キャップ２２はスプリング２６の付勢により下向きになるように移動する。
【００８７】
そして、図１３に二点鎖線で示すように、新しい印字ヘッド４ａ〜４ｄを支持するヘッドホルダ７をキャリッジ１に対し、前述のとおり凸部７ｂを凹所６ａに沿って挿入すると、保護キャップ２２ａ〜２２ｄは、既に上記のとおり印字ヘッド４ａ〜４ｄに対し下向きに傾斜した状態にあるから、保護キャップ２２ａ〜２２ｄの上端は、印字ヘッド４ａ〜４ｄのノズル面の上端と当たる。それから、ヘッドホルダ７を前述のとおりロックするために、下方に回転すると、保護キャップ２２ａ〜２２ｄは、ノズル面と当たっている上端を中心に回転しながら上方へ移動し、図１３に実線で示すように、正規位置の印字ヘッド４ａ〜４ｄのノズル面を覆う位置になる。つまり、従来のように、印字ヘッド４ａ〜４ｄのノズル面と保護キャップ２２が相対的に擦ることがなくなる。
【００８８】
尚、上記両実施の形態において、保護キャップ２２は印字ヘッド４ａ〜４ｄのノズル面を全く擦らないように構成するだけでなく、保護キャップ２２の外周がノズル面上の全ノズルを囲んだ状態で、ノズルを横切らない範囲でわずかに擦る程度ならば、ノズルにゴミ等を押し込むことがないから、本発明の趣旨を逸脱するものではない。
【００８９】
また、印字ヘッド４ａ〜４ｄの交換は、印字ヘッド４ａ〜４ｄのノズル面が保護キャップ２２と完全に密着する位置だけでなく、ヘッドホルダ７の回転に追従して保護キャップ２２が移動する位置において行うこともできる。
【００９０】
図１４〜１６は、本発明のさらに他の実施の形態の保護キャップ手段にかかわる構成を具体化したものである。この実施の形態において、印字ヘッド４ａ〜４ｄ、キャリッジ１は、前述の両実施の形態と同一のものであり、同一の符号を付して説明を省略する。
【００９１】
図１４はこの実施形態の保護キャップ装置２１の概略構成を示すもので、前述の実施の形態とほぼ同じ構成であるが、キャップケーシング２３の一対の脚部２３ｃはその長さが相互に同一で、同じ位置にストッパ２３ｄ、２３ｂを有し、保護キャップ２２ａ〜２２ｄは、印字ヘッド４ａ〜４ｄのノズル面に対して前後方向に移動可能で、かつ上下方向に所定範囲で傾くようになっている。また、保護キャップ２２ａ〜２２ｄの間隔Ｌ１（図１５）は、各印字ヘッド４ａ〜４ｄの幅Ｌ２よりも大きく設定されている。
【００９２】
この実施の形態において、制御装置７１は、印字休止時には図１６（ａ）に示すように、印字ヘッド４ａ〜４ｄのノズル面を保護キャップ２２ａ〜２２ｄを密着させて覆うキャッピング位置にキャリッジ１を停止させるが、印字ヘッド４の交換時には、各種スイッチ７５の１つからの信号により、キャリッジ１を、上記キャッピング位置よりずれたヘッド交換位置（図１６（ｂ））に停止させる。ヘッド交換位置は、前記保護キャップ２２ａ〜２２ｄによる印字ヘッド４ａ〜４ｄのキャッピング位置と印字用紙の間であって、各保護キャップ２２ａ〜２２ｄと各印字ヘッド４ａ〜４ｄとが、キャリッジ１の移動方向において相互にずれている位置である。
【００９３】
印字ヘッド４ａ〜４ｄを交換するとき、スイッチ７５の１つを操作すると、キャリッジ１が、印字ヘッド４ａ〜４ｄのキャッピング位置（図１６（ａ）の位置）より印字領域側に少し戻って停止する（図１６（ｂ））。この位置では、保護キャップ２２ａ〜２２ｄが図示しないバネの作用で初期位置に戻って、印字ヘッド４ａ〜４ｄから少し離れるとともに、各保護キャップ２２ａ〜２２ｄと各印字ヘッド４ａ〜４ｄとがキャリッジ移動方向に互い違いに位置する。
【００９４】
この位置において、図１６（ｃ）に示すように、ヘッドホルダ７をキャリッジ１より取り外し、それから、新しいヘッドホルダ７を前述したように装着する（図１６（ｂ））。このとき、新しいヘッドホルダ７の各印字ヘッド４ａ〜４ｄと各保護キャップ２２ａ〜２２ｄとが互い違いに位置しており、保護キャップ２２ａ〜２２ｄの間隔Ｌ１が印字ヘッド４ａ〜４ｄの幅Ｌ２よりも大きいことで、図１３のように、印字ヘッドが正規位置よりも保護キャップ側に傾斜して挿入されても、印字ヘッド４ａ〜４ｄが保護キャップ２２ａ〜２２ｄおよび吸引キャップ３３の間に侵入し、印字ヘッド４ａ〜４ｄがキャップ２２ａ〜２２ｄ、３３に当たることがなく、保護キャップ２２ａ〜２２ｄによって、印字ヘッド４ａ〜４ｄのノズル面を擦ることがない。
【００９５】
ヘッドホルダ７の交換が終了すると、図１６（ａ）に示すように、保護キャップ２２ａ〜２２ｄによる印字ヘッド４ａ〜４ｄのキャッピング位置に戻される。
【００９６】
図１７は、本発明のさらに他の実施の形態の保護キャップ手段にかかわる構成を具体化したものである。この実施の形態において、印字ヘッド４ａ〜４ｄ、キャリッジ１及び保護キャップ装置２１は、前述の両実施の形態と同一のものであり、同一の符号を付して説明を省略する。この実施の形態において、本体ケーシング２４の突出部２４ｂが傾斜カム３１から印字領域側に離れたとき、保護キャップ２２ａ〜２２ｄが印字ヘッド４ａ〜４ｄからキャリッジ１の移動方向に離れる距離Ｌは、印字ヘッド４ａ〜４ｄを前述のように装着する際の凸部７ｂを中心とする印字ヘッド先端の回転軌跡よりも外に、保護キャップ２２ａ〜２２ｄが位置する大きさである。距離Ｌは、突出部２４ｄの高さまたは傾斜カム３１の高低差によって設定される。
【００９７】
制御装置７１は、印字休止時には図１７（ａ）に示すように、印字ヘッド４ａ〜４ｄのノズル面を保護キャップ２２ａ〜２２ｄを密着させて覆うキャッピング位置にキャリッジ１を停止させ、印字ヘッド４の交換時には、キャリッジ１を、上記キャッピング位置から印字領域側へずれたヘッド交換位置に停止させることは、前記実施例と同じである。
【００９８】
印字ヘッド４ａ〜４ｄを交換するとき、各種スイッチ７５の１つを操作すると、キャリッジ１が、印字ヘッド４ａ〜４ｄのキャッピング位置（図１７（ａ）の位置）より印字領域側に少し戻って停止する（図１７（ｂ））。この位置において、図１７（ｃ）に示すように、ヘッドホルダ７をキャリッジ１より取り外し、それから、新しいヘッドホルダ７を前述したように装着する（図１７（ｂ））。このとき、新しいヘッドホルダ７の各印字ヘッド４ａ〜４ｄと各保護キャップ２２ａ〜２２ｄとはキャリッジ１の移動方向に直交する方向おいて距離Ｌだけ離れており、印字ヘッド４ａ〜４ｄが正規位置よりも保護キャップ２２ａ〜２２ｄ側に傾斜して挿入されても、印字ヘッド４ａ〜４ｄのノズル面の回転軌跡よりも外に保護キャップ２２ａ〜２２ｄが離れて位置しているので、印字ヘッド４ａ〜４ｄがそれらのキャップ２２ａ〜２２ｄに当たることがなく、保護キャップ２２ａ〜２２ｄによって、印字ヘッド４ａ〜４ｄのノズル面を擦ることがない。
【００９９】
ヘッドホルダ７の交換が終了すると、図１７（ａ）に示すように、保護キャップ２２ａ〜２２ｄによる印字ヘッド４ａ〜４ｄのキャッピング位置に戻される。
【０１００】
各実施の形態においては、キャリッジ１が戻るとき、バネの作用で、保護キャップ２２ａ〜２２ｄが印字領域方向に戻り、かつ印字ヘッド４ａ〜４ｄのノズル面から離れるようにしているが、傾斜カムの形状等を変えることで保護キャップを印字ヘッドのノズル面に接近する方向に付勢するバネを用いるようにすることもできるし、カム溝を用いて保護キャップの進退を直接に案内するようにすれば、バネそのものを省略することも可能である。
【０１０１】
前記実施の形態においては、印字ヘッド４ａ〜４ｄから傾斜方向にインク滴を吐出する構成としているが、垂直方向あるいは水平方向にインク滴を吐出するように印字ヘッド及びキャリッジを縦あるいは水平にした構成のものにも本発明は適用できるのはもちろんである。
【０１０２】
【発明の効果】
本発明は、以上に説明したような形態で実施され、以下に述べるような効果を奏する。
【０１０３】
請求項１の発明は、保護キャップを、ヘッドホルダの挿入方向に対向するように向け、かつ少なくとも前記ヘッドホルダの回転方向に移動可能に支持しているので、印字ヘッドのノズル面が保護キャップと対向する位置にて印字ヘッドの交換をする際に、ヘッドホルダを保護キャップに近づく方向にキャリッジに挿入すると、印字ヘッドのノズル面を保護キャップと対向させることができ、また、その後、印字ヘッドを正規位置に位置づけるために、挿入方向と直交する方向にヘッドホルダを回転させると、印字ヘッドのノズル面を保護キャップと対向した状態のまま回転し、保護キャップにて印字ヘッドのノズル面を擦ることがない。したがって、印字ヘッドのノズルにゴミ等を押し込むことを未然に防止することができる。
【０１０４】
請求項２の発明は、ヘッドホルダを保護キャップに近づく方向にキャリッジに挿入した後、その挿入方向と直交する方向に回転する際に、保護キャップが、印字ヘッドと対向しながら前記ヘッドホルダの回転に追従して前記正規位置の印字ヘッドを覆う位置に移動するようにしているので、印字ヘッドの正規位置まで印字ヘッドと一緒に保護キャップを移動させることで、保護キャップが印字ヘッドのノズル面を擦ることがない。
【０１０５】
請求項３の発明は、付勢部材によるキャップケーシングの付勢により、保護キャップを、ヘッドホルダの挿入時には、印字ヘッドに向く位置とし、ヘッドホルダの装着が完了した時には、前記正規位置の印字ヘッドに向く位置とするようにしているので、付勢部材の作用により、ヘッドホルダをキャリッジに対し挿入した際に、保護キャップが印字ヘッドに対向し、印字ヘッドの回転にともないそのまま追従し、印字ヘッドの正規位置でも印字ヘッドに対向する状態を維持するようにすることが可能となる。
【０１０６】
請求項４の発明は、保護キャップを、正規位置に対し傾斜した方向に向いた第１の位置から、印字ヘッドの回転にともない印字ヘッドに対向したまま前記正規位置の印字ヘッドに対応する第２の位置へ移動可能に支持しているので、印字ヘッドのノズル面が保護キャップと対向する位置にて印字ヘッドの交換をする際に、印字ヘッドを傾斜方向から案内部により案内し正規位置に回転した状態でロック手段にてロックするのにともない、保護キャップを、印字ヘッドのノズル面を擦ることなく、第１の位置から第２の位置に移動させることができる。
【０１０７】
請求項５の発明は、正規位置から傾斜位置へ印字ヘッドが回転するのにともない、保護キャップを、前記傾斜方向に向いた第１の位置へ移動させるようにしているので、印字ヘッドを取り外したときには、保護キャップが第１の位置に戻っていることとなり、次の印字ヘッドを装着する際に好都合である。
【０１０８】
請求項６の発明は、保護キャップをその一端を前記印字ヘッドに当てた状態で印字ヘッドの前記回転にともない印字ヘッドに対向する方向に傾動可能に支持しているので、印字ヘッドのノズル面が保護キャップと対向する位置にて印字ヘッドの交換をする際に、ヘッドホルダを前記保護キャップに近づく方向にキャリッジに挿入して、印字ヘッドに保護キャップの一端を当て、その後、ヘッドホルダを、その挿入方向と直交する方向に回転することで、保護キャップを傾動させて印字ヘッドに対向させることができる。よって、保護キャップにて印字ヘッドのノズル面を擦ることなく、印字ヘッドの交換を行うことが可能となる。
【０１０９】
請求項７の発明は、保護キャップを支持するキャップケーシングを、本体ケーシングにて、該キャップケーシングを前記ヘッドホルダの回転方向及びヘッドホルダに接近離隔する方向に移動可能に支持しているので、キャップケーシングを付勢する付勢部材にて、ヘッドホルダの回転時に、印字ヘッドに保護キャップが追従するように付勢することができる。
【０１１０】
請求項８の発明は、キャップケーシングの一対のストッパ部に本体ケーシングの係合部が係合することで、キャップケーシングがヘッドホルダ側へ所定量以上移動するのを阻止し、かつ、ヘッドホルダの前記回転方向下流側のストッパ部とそれに係合する係合部との間の移動許容量を、上流側のストッパ部とそれに係合する係合部との間の移動許容量よりも大きくしているので、付勢部材の付勢力にて、ヘッドホルダの挿入時の印字ヘッドに対して保護キャップをその一端が当たるように傾斜させることができ、かつヘッドホルダの回転時に、印字ヘッドに保護キャップを無理なく追従させることができる。
【０１１１】
請求項９の発明は、保護キャップをその一端を印字ヘッドに当てた第１の位置から、前記印字ヘッドの回転に追従して前記正規位置において前記印字ヘッドに対向する第２の位置へ傾動可能に支持しているので、印字ヘッドのノズル面が保護キャップと対向する位置にて印字ヘッドの交換をする際に、案内部により前記傾斜方向からヘッドホルダをキャリッジに案内すると、保護キャップがその一端を印字ヘッドに当てた第１の位置となり、それからヘッドホルダの回転にともない、印字ヘッドの回転に追従して第２の位置に傾動して、正規位置において前記印字ヘッドに対向するようにできる。よって、保護キャップにて印字ヘッドのノズル面を擦ることなく、印字ヘッドの交換を行うことができる。
【０１１２】
請求項１０の発明は、保護キャップが、ヘッドホルダのキャリッジからの取り外しにともない第１の位置へ移動するようにしているので、印字ヘッドを取り外したとき、保護キャップが第１の位置に戻っていることとなり、次に印字ヘッドを装着する際に好都合となる。
【０１１３】
【０１１４】
【０１１５】
【０１１６】
【０１１７】
【０１１８】
【０１１９】
【０１２０】
【０１２１】
請求項１１の発明は、凸部を、凹所の挿入案内部に挿入することで、ヘッドホルダを保護キャップに近づく方向にキャリッジに挿入し、凸部が凹所の位置決め部に位置したところで、挿入方向と直交する方向に回転することで、印字ヘッドを、印字媒体上の印字位置に正しく対向する正規位置となるようにしているので、凸部を、凹所の挿入案内部及び位置決め部に挿入するという簡単な操作で、印字ヘッドを印字媒体上の印字位置に正しく対向する正規位置となるようにできる。
請求項１２の発明は、キャリッジの移動方向の両側に該キャリッジより突出する一対の壁部の対向面側に形成される凹所に、ヘッドホルダの両側壁部に設けられる凸部を移動可能に挿入するようにしているので、印字ヘッドを正規位置に案内するための手段を簡単な構造とすることができる。
【０１２２】
請求項１３の発明は、キャリッジの移動経路の一側に保護キャップ手段に対向して、ヘッドホルダの着脱を可能とする開口部を外装ケースに設けているので、外装ケースの開口部を通じて、ヘッドホルダの着脱を簡単に行うことができる。
【図面の簡単な説明】
【図１】キャリッジ、印字ヘッド、インクカートリッジ等を組み付けた状態の側面図である。
【図２】図１の要部平面図である。
【図３】ヘッドホルダにインクカートリッジを取り付けた状態の斜視図である。
【図４】図１の分解状態の側面図である。
【図５】請求項１〜５に対応する保護キャップ装置の概略構成を示す側面図である。
【図６】図５の保護キャップ装置の概略構成を示す平面図である。
【図７】本装置の制御系のブロック図である。
【図８】（ａ）〜（ｃ）はそれぞれ図６の保護キャップ装置の動作の説明図である。
【図９】（ａ）〜（ｃ）はそれぞれ図６の保護キャップ装置の動作の説明図である。
【図１０】印字装置の開閉カバーを開放した状態の斜視図である。
【図１１】蓋部材を開放した状態の印字装置の斜視図である。
【図１２】請求項６〜１０に対応する保護キャップ装置の側面図である。
【図１３】図１２の実施形態のキャリッジ、印字ヘッド、インクカートリッジ等の側面図である。
【図１４】他の実施形態の保護キャップ装置の側面図である。
【図１５】図１４の要部平面図である。
【図１６】（ａ）〜（ｃ）はそれぞれ図１４の保護キャップ装置の動作の説明図である。
【図１７】（ａ）〜（ｃ）はさらに他の実施形態の保護キャップ装置の平面図とその動作の説明図である。
【図１８】従来装置の側面図である。
【図１９】従来装置の動作の説明図である。
【図２０】従来装置の動作の説明図である。
【符号の説明】
１            キャリッジ
４ａ〜４ｄ    印字ヘッド
６            側壁
６ａ          凹所
６ｂ          挿入案内部
６ｃ          位置決め部
７            ヘッドホルダ
７ｂ          凸部
７ｃ          係止突起
１４            係止部
２１            保護キャップ装置
２２ａ〜２２ｄ  保護キャップ
２３            キャップケーシング
２４            本体ケーシング
２７            スプリング
４１            外装ケース
４３            開口
４４            補助開口
４５            蓋部材


【手続補正２】
【補正対象書類名】図面
【補正対象項目名】全図
【補正方法】変更
【補正の内容】
【図１】
1999277731.tif 000001
【図２】
1999277731.tif 000002
【図３】
1999277731.tif 000003
【図４】
1999277731.tif 000004
【図５】
1999277731.tif 000005
【図６】
1999277731.tif 000006
【図７】
1999277731.tif 000007
【図８】
1999277731.tif 000008
【図９】
1999277731.tif 000009
【図１０】
1999277731.tif 000010
【図１１】
1999277731.tif 000011
【図１２】
1999277731.tif 000012
【図１３】
1999277731.tif 000013
【図１４】
1999277731.tif 000014
【図１５】
1999277731.tif 000015
【図１６】
1999277731.tif 000016
【図１７】
1999277731.tif 000017
【図１８】
1999277731.tif 000018
【図１９】
1999277731.tif 000019
【図２０】
1999277731.tif 000020